(57)【特許請求の範囲】
【請求項１】
ディスプレイと、
制限を解除する操作を検出すると、前記制限を解除して、前記ディスプレイに第１画面を表示するコントローラと、
モーションセンサとを備え、
前記コントローラは、
前記モーションセンサの検出結果に基づいて利用者が自機を手で持っている状態を判別し、
前記利用者が自機を手で持っている状態である場合において、前記制限を解除する操作が親指による操作であると、前記第１画面とは異なる第２画面を前記ディスプレイに表示する電子機器。
【請求項２】
指紋センサを備え、
前記コントローラは、
前記指紋センサにより読み取った指紋情報と、予め登録された親指の指紋情報とが所定の範囲で適合する場合に、前記制限を解除する操作が親指による操作であると判定する請求項１に記載の電子機器。
【請求項３】
前記コントローラは、
前記第２画面として、片手用のユーザーインターフェース画面を表示する請求項１または２に記載の電子機器。
【請求項４】
前記コントローラは、
前記ディスプレイの表示方向の上下を特定し、
前記片手用のユーザーインターフェース画面として、前記第１画面を下方向にスライドした画面を表示する請求項３に記載の電子機器。
【請求項５】
ディスプレイと、モーションセンサとを備える電子機器が実行する制御方法であって、
制限を解除する操作を検出すると、前記制限を解除して、前記ディスプレイに第１画面を表示するステップと、
前記モーションセンサの検出結果に基づいて利用者が自機を手で持っている状態を判別するステップと、
前記利用者が自機を手で持っている状態である場合において、前記制限を解除する操作が親指による操作であると、前記第１画面とは異なる第２画面を前記ディスプレイに表示するステップと
を含む制御方法。
【請求項６】
ディスプレイと、モーションセンサとを備える電子機器に、
制限を解除する操作を検出すると、前記制限を解除して、前記ディスプレイに第１画面を表示するステップと、
前記モーションセンサの検出結果に基づいて利用者が自機を手で持っている状態を判別するステップと、
前記利用者が自機を手で持っている状態である場合において、前記制限を解除する操作が親指による操作であると、前記第１画面とは異なる第２画面を前記ディスプレイに表示するステップと
を実行させる制御プログラム。
【発明の詳細な説明】
【技術分野】
【０００１】
本出願は、電子機器、制御方法、及び制御プログラムに関する。
【背景技術】
【０００２】
携帯電話やスマートフォンなどの電子機器には、指紋認証機能を用いて利用者の認証を行うものがある（例えば、特許文献１参照）。
【先行技術文献】
【特許文献】
【０００３】
【特許文献１】特開２００７−３１０６３８号公報
【発明の概要】
【発明が解決しようとする課題】
【０００４】
上記の電子機器では、利用者の認証による表示の機能制御に改善の余地があった。
【課題を解決するための手段】
【０００５】
１つの態様に係る電子機器は、ディスプレイと、制限を解除する操作を検出すると、前記制限を解除して、前記ディスプレイに第１画面を表示するコントローラとを備え、前記コントローラは、前記制限を解除する操作が親指による操作であると、前記第１画面とは異なる第２画面を前記ディスプレイに表示する。
【０００６】
１つの態様に係る制御方法は、ディスプレイを備える電子機器が実行する制御方法であって、制限を解除する操作を検出すると、前記制限を解除して、前記ディスプレイに第１画面を表示するステップと、前記制限を解除する操作が親指による操作であると、前記第１画面とは異なる第２画面を前記ディスプレイに表示するステップとを含む。
【０００７】
１つの態様に係る制御プログラムは、ディスプレイを備える電子機器に、制限を解除する操作を検出すると、前記制限を解除して、前記ディスプレイに第１画面を表示するステップと、前記制限を解除する操作が親指による操作であると、前記第１画面とは異なる第２画面を前記ディスプレイに表示するステップとを実行させる。
【図面の簡単な説明】
【０００８】
【図１】図１は、実施形態に係るスマートフォンの斜視図である。
【図２】図２は、スマートフォンの正面図である。
【図３】図３は、スマートフォンの背面図である。
【図４】図４は、ホーム画面の例を示す図である。
【図５】図５は、スマートフォンのブロック図である。
【図６】図６は、スマートフォンによる制限の解除に係る制御の例を示す図である。
【図７】図７は、スマートフォンによる制限の解除に係る制御の他の例を示す図である。
【図８】図８は、スマートフォンによる制御の例の処理手順を示すフローチャートである。
【図９】図９は、スマートフォンによる制御の他の例の処理手順を示すフローチャートである。
【発明を実施するための形態】
【０００９】
本出願に係る電子機器、制御方法、及び制御プログラムを実施するための実施形態を、図面を参照しつつ詳細に説明する。以下では、電子機器の例として、スマートフォンについて説明する。
【００１０】
（実施形態）
図１から図３を参照しながら、実施形態に係るスマートフォン１の全体的な構成について説明する。図１から図３に示すように、スマートフォン１は、ハウジング２０を有する。ハウジング２０は、フロントフェイス１Ａと、バックフェイス１Ｂと、サイドフェイス１Ｃ１〜１Ｃ４とを有する。フロントフェイス１Ａは、ハウジング２０の正面である。バックフェイス１Ｂは、ハウジング２０の背面である。サイドフェイス１Ｃ１〜１Ｃ４は、フロントフェイス１Ａとバックフェイス１Ｂとを接続する側面である。以下では、サイドフェイス１Ｃ１〜１Ｃ４を、どの面であるかを特定することなく、サイドフェイス１Ｃと総称することがある。
【００１１】
スマートフォン１は、タッチスクリーンディスプレイ２と、ボタン３Ａ〜３Ｃと、照度センサ４と、近接センサ５と、レシーバ７と、マイク８と、カメラ１２と、指紋センサ１８をフロントフェイス１Ａに有する。スマートフォン１は、スピーカ１１と、カメラ１３とをバックフェイス１Ｂに有する。スマートフォン１は、ボタン３Ｄ〜３Ｆと、コネクタ１４とをサイドフェイス１Ｃに有する。以下では、ボタン３Ａ〜３Ｆを、どのボタンであるかを特定することなく、ボタン３と総称することがある。
【００１２】
タッチスクリーンディスプレイ２は、ディスプレイ２Ａと、タッチスクリーン２Ｂとを有する。図１の例では、ディスプレイ２Ａ及びタッチスクリーン２Ｂはそれぞれ略長方形状であるが、ディスプレイ２Ａ及びタッチスクリーン２Ｂの形状はこれに限定されない。ディスプレイ２Ａ及びタッチスクリーン２Ｂは、それぞれが正方形又は円形等のどのような形状もとりうる。図１の例では、ディスプレイ２Ａ及びタッチスクリーン２Ｂは重ねて配置されているが、ディスプレイ２Ａ及びタッチスクリーン２Ｂの配置はこれに限定されない。ディスプレイ２Ａ及びタッチスクリーン２Ｂは、例えば、並べて配置されてもよいし、離して配置されてもよい。図１の例では、ディスプレイ２Ａの長辺はタッチスクリーン２Ｂの長辺に沿っており、ディスプレイ２Ａの短辺はタッチスクリーン２Ｂの短辺に沿っているが、ディスプレイ２Ａ及びタッチスクリーン２Ｂの重ね方はこれに限定されない。ディスプレイ２Ａとタッチスクリーン２Ｂとが重ねて配置される場合、例えば、ディスプレイ２Ａの１ないし複数の辺がタッチスクリーン２Ｂのいずれの辺とも沿っていなくてもよい。
【００１３】
ディスプレイ２Ａは、液晶ディスプレイ（ＬＣＤ：Ｌｉｑｕｉｄ  Ｃｒｙｓｔａｌ  Ｄｉｓｐｌａｙ）、有機ＥＬディスプレイ（ＯＥＬＤ：Ｏｒｇａｎｉｃ  Ｅｌｅｃｔｒｏ−Ｌｕｍｉｎｅｓｃｅｎｃｅ  Ｄｉｓｐｌａｙ）、又は無機ＥＬディスプレイ（ＩＥＬＤ：Ｉｎｏｒｇａｎｉｃ  Ｅｌｅｃｔｒｏ−Ｌｕｍｉｎｅｓｃｅｎｃｅ  Ｄｉｓｐｌａｙ）等の表示デバイスを備える。ディスプレイ２Ａは、文字、画像、記号、及び図形等を表示する。
【００１４】
タッチスクリーン２Ｂは、タッチスクリーン２Ｂに対する指、ペン、又はスタイラスペン等の接触を検出する。タッチスクリーン２Ｂは、複数の指、ペン、又はスタイラスペン等がタッチスクリーン２Ｂに接触した位置を検出することができる。以下の説明では、タッチスクリーン２Ｂに対して接触する指、ペン、又はスタイラスペン等を、「接触オブジェクト」又は「接触物」と呼ぶことがある。
【００１５】
タッチスクリーン２Ｂの検出方式は、静電容量方式、抵抗膜方式、表面弾性波方式（又は超音波方式）、赤外線方式、電磁誘導方式、及び荷重検出方式等の任意の方式でよい。以下の説明では、説明を簡単にするため、利用者はスマートフォン１を操作するために指を用いてタッチスクリーン２Ｂに接触するものと想定する。
【００１６】
スマートフォン１は、タッチスクリーン２Ｂにより検出された接触、接触が検出された位置、接触が検出された位置の変化、接触が検出された間隔、及び接触が検出された回数の少なくとも１つに基づいてジェスチャの種別を判別する。ジェスチャは、タッチスクリーン２Ｂに対して行われる操作である。スマートフォン１によって判別されるジェスチャは、例えば、タッチ、ロングタッチ、リリース、スワイプ、タップ、ダブルタップ、ロングタップ、ドラッグ、フリック、ピンチイン、及びピンチアウトを含むがこれらに限定されない。
【００１７】
スマートフォン１は、タッチスクリーン２Ｂを介して判別するこれらのジェスチャに従って動作を行う。このため、利用者にとって直感的で使いやすい操作性が実現される。判別されるジェスチャに従ってスマートフォン１が行う動作は、ディスプレイ２Ａに表示されている画面に応じて異なることがある。以下の説明では、説明を簡単にするために、「タッチスクリーン２Ｂが接触を検出し、検出された接触に基づいてジェスチャの種別をスマートフォン１がＸと判別すること」を、「スマートフォンがＸを検出する」、又は「コントローラがＸを検出する」と記載することがある。
【００１８】
指紋センサ１８は、指先における指紋の凹凸を画像として読み取る。指紋センサ１８は、ボタン３Ｂに内蔵されている。指紋センサ１８は、読み取った画像を指紋情報として出力する。例えば、指紋センサ１８は、半導体式センサである場合、指紋の凹凸によって変化する複数の電極の電荷を検出し、電荷の量を変換して画像とする。なお、指紋センサ１８は、半導体式センサに限定されず、光学式センサ、超音波式センサを用いてもよい。本実施形態では、指紋センサ１８は、ボタン３Ｂに内蔵される場合について説明するが、これに限定されない。例えば、指紋センサ１８は、利用者が片手で持った状態で、その手の親指が操作可能な範囲のハウジング２０のフロントフェイス１Ａ等に単独で設けられてもよい。
【００１９】
図４を参照しながら、ディスプレイ２Ａに表示される画面の例について説明する。図４は、ホーム画面の例を示している。ホーム画面は、デスクトップ、待受画面、アイドル画面又は標準画面と呼ばれることもある。ホーム画面は、ディスプレイ２Ａに表示される。ホーム画面は、スマートフォン１にインストールされているアプリケーションのうち、どのアプリケーションを実行するかを利用者に選択させる画面である。スマートフォン１は、ホーム画面で選択されたアプリケーションをフォアグランドで実行する。フォアグランドで実行されるアプリケーションの画面は、ディスプレイ２Ａに表示される。
【００２０】
スマートフォン１は、ホーム画面にアイコンを配置することができる。図４に示すホーム画面４０には、複数のアイコン５０が配置されている。それぞれのアイコン５０は、スマートフォン１にインストールされているアプリケーションと予め対応付けられている。スマートフォン１は、アイコン５０に対するジェスチャを検出すると、ジェスチャが検出されたアイコン５０に対応付けられているアプリケーションを実行する。例えば、スマートフォン１は、メールアプリケーションに対応付けられたアイコン５０に対するタップが検出されると、メールアプリケーションを実行する。
【００２１】
アイコン５０は、画像と文字列を含む。アイコン５０は、画像に代えて、記号又は図形を含んでもよい。アイコン５０は、画像又は文字列のいずれか一方を含まなくてもよい。アイコン５０は、配置パターンに基づいて配置される。アイコン５０の背後には、壁紙４１が表示される。壁紙は、フォトスクリーン、バックスクリーン、アイドル画像又は背景画像と呼ばれることもある。スマートフォン１は、任意の画像を壁紙４１として用いることができる。スマートフォン１は、壁紙４１として表示する画像を利用者が選択できるように構成されてもよい。
【００２２】
スマートフォン１は、複数のホーム画面を有していてよい。スマートフォン１は、例えば、ホーム画面の数を利用者による設定に従って決定する。スマートフォン１は、ホーム画面の数が複数であっても、選択された１つをディスプレイ２Ａに表示する。
【００２３】
スマートフォン１は、ディスプレイ２Ａに表示するホーム画面を変更することができる。スマートフォン１は、ホーム画面の１つを表示中にジェスチャが検出されると、ディスプレイ２Ａに表示するホーム画面を別のホーム画面に変更する。例えば、スマートフォン１は、右フリックを検出すると、ディスプレイ２Ａに表示するホーム画面を１つ左のホーム画面に変更する。例えば、スマートフォン１は、左フリックを検出すると、ディスプレイ２Ａに表示するホーム画面を１つ右のホーム画面に変更する。スマートフォン１は、第１のホーム画面をディスプレイ２Ａに表示中にジェスチャが検出されると、ディスプレイ２Ａに表示される第１のホーム画面の面積が徐々に狭くなり、ディスプレイ２Ａに表示される第２のホーム画面の面積が徐々に広くなるようにディスプレイ２Ａに表示するホーム画面を第１のホーム画面から第２のホーム画面へ変更する。スマートフォン１は、第１のホーム画面が第２のホーム画面に即座に置き換わるようにホーム画面を切り替えてもよい。
【００２４】
ディスプレイ２Ａの上端には、領域４２が設けられている。領域４２には、電源の残量を示す残量マーク４３、及び通信用の電波の電界強度を示す電波レベルマーク４４が表示される。スマートフォン１は、領域４２に、時刻、天気、実行中のアプリケーション、通信システムの種別、電話のステータス、装置のモード、装置に生じたイベント等を表示してもよい。このように、領域４２は、利用者に対して各種の通知を行うために用いられる。領域４２は、ホーム画面４０以外の画面でも設けられることがある。領域４２が設けられる位置は、ディスプレイ２Ａの上端に限定されない。
【００２５】
ホーム画面４０の上下方向について説明する。以下の説明では、ホーム画面４０の上下方向は、ディスプレイ２Ａに表示される文字または画像の上下方向を基準として決定されるものとする。したがって、図４に示すホーム画面４０では、タッチスクリーンディスプレイ２の長手方向において領域４２に近い側が上側であり、領域４２から遠い側が下側である。そして、領域４２において電波レベルマーク４４が表示されている側が右側であり、領域４２において残量マーク４３が表示されている側が左側である。
【００２６】
図４に示したホーム画面４０は、例であり、各種の要素の形態、各種の要素の配置、ホーム画面４０の数、及びホーム画面４０での各種の操作の仕方等は上記の説明の通りでなくてもよい。
【００２７】
図５は、スマートフォン１のブロック図である。スマートフォン１は、タッチスクリーンディスプレイ２と、ボタン３と、照度センサ４と、近接センサ５と、通信ユニット６と、レシーバ７と、マイク８と、ストレージ９と、コントローラ１０と、スピーカ１１と、カメラ１２及び１３と、コネクタ１４と、加速度センサ１５と、方位センサ１６と、ジャイロスコープ１７と、指紋センサ１８とを有する。
【００２８】
タッチスクリーンディスプレイ２は、上述したように、ディスプレイ２Ａと、タッチスクリーン２Ｂとを有する。ディスプレイ２Ａは、文字、画像、記号、又は図形等を表示する。タッチスクリーン２Ｂは、接触を検出する。コントローラ１０は、スマートフォン１に対するジェスチャを検出する。具体的には、コントローラ１０は、タッチスクリーン２Ｂと協働することによって、タッチスクリーン２Ｂ（タッチスクリーンディスプレイ２）に対する操作（ジェスチャ）を検出する。
【００２９】
ボタン３は、利用者によって操作される。ボタン３は、ボタン３Ａ〜ボタン３Ｆを有する。コントローラ１０はボタン３と協働することによってボタン３に対する操作を検出する。ボタン３に対する操作は、例えば、クリック、ダブルクリック、トリプルクリック、及びプッシュを含むが、これらに限定されない。
【００３０】
ボタン３Ａ〜３Ｃは、例えば、ホームボタン、バックボタン又はメニューボタンである。ボタン３Ｄは、例えば、スマートフォン１のパワーオン／オフボタンである。ボタン３Ｄは、スリープ／スリープ解除ボタンを兼ねてもよい。ボタン３Ｅ及び３Ｆは、例えば、音量ボタンである。
【００３１】
照度センサ４は、スマートフォン１の周囲光の照度を検出する。照度は、照度センサ４の測定面の単位面積に入射する光束の値である。照度センサ４は、例えば、ディスプレイ２Ａの輝度の調整に用いられる。近接センサ５は、近隣の物体の存在を非接触で検出する。近接センサ５は、磁界の変化又は超音波の反射波の帰還時間の変化等に基づいて物体の存在を検出する。近接センサ５は、例えば、タッチスクリーンディスプレイ２が顔に近付けられたことを検出する。照度センサ４及び近接センサ５は、一つのセンサとして構成されていてもよい。照度センサ４は、近接センサとして用いられてもよい。
【００３２】
通信ユニット６は、無線により通信する。通信ユニット６によってサポートされる通信方式は、無線通信規格である。無線通信規格として、例えば、２Ｇ、３Ｇ、４Ｇ等のセルラーフォンの通信規格がある。セルラーフォンの通信規格として、例えば、ＬＴＥ（Ｌｏｎｇ  Ｔｅｒｍ  Ｅｖｏｌｕｔｉｏｎ）、Ｗ−ＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）、ＣＤＭＡ２０００、ＰＤＣ（Ｐｅｒｓｏｎａｌ  Ｄｉｇｉｔａｌ  Ｃｅｌｌｕｌａｒ）、ＧＳＭ（登録商標）（Ｇｌｏｂａｌ  Ｓｙｓｔｅｍ  ｆｏｒ  Ｍｏｂｉｌｅ  Ｃｏｍｍｕｎｉｃａｔｉｏｎｓ）、ＰＨＳ（Ｐｅｒｓｏｎａｌ  Ｈａｎｄｙ−ｐｈｏｎｅ  Ｓｙｓｔｅｍ）等がある。無線通信規格として、さらに、例えば、ＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）、ＩＥＥＥ８０２．１１、Ｂｌｕｅｔｏｏｔｈ（登録商標）、ＩｒＤＡ（Ｉｎｆｒａｒｅｄ  Ｄａｔａ  Ａｓｓｏｃｉａｔｉｏｎ）、ＮＦＣ（Ｎｅａｒ  Ｆｉｅｌｄ  Ｃｏｍｍｕｎｉｃａｔｉｏｎ）等がある。通信ユニット６は、上述した通信規格の１つ又は複数をサポートしていてもよい。
【００３３】
レシーバ７及びスピーカ１１は、音出力部である。レシーバ７及びスピーカ１１は、コントローラ１０から送信される音信号を音として出力する。レシーバ７は、例えば、通話時に相手の声を出力するために用いられる。スピーカ１１は、例えば、着信音及び音楽を出力するために用いられる。レシーバ７及びスピーカ１１の一方が、他方の機能を兼ねてもよい。マイク８は、音入力部である。マイク８は、利用者の音声等を音信号へ変換してコントローラ１０へ送信する。
【００３４】
ストレージ９は、プログラム及びデータを記憶する。ストレージ９は、コントローラ１０の処理結果を一時的に記憶する作業領域としても利用される。ストレージ９は、半導体記憶媒体、及び磁気記憶媒体等の任意の非一過的（ｎｏｎ−ｔｒａｎｓｉｔｏｒｙ）な記憶媒体を含んでよい。ストレージ９は、複数の種類の記憶媒体を含んでよい。ストレージ９は、メモリカード、光ディスク、又は光磁気ディスク等の可搬の記憶媒体と、記憶媒体の読み取り装置との組み合わせを含んでよい。ストレージ９は、ＲＡＭ（Ｒａｎｄｏｍ  Ａｃｃｅｓｓ  Ｍｅｍｏｒｙ）等の一時的な記憶領域として利用される記憶デバイスを含んでよい。
【００３５】
ストレージ９に記憶されるプログラムには、フォアグランド又はバックグランドで実行されるアプリケーションと、アプリケーションの動作を支援する制御プログラムとが含まれる。アプリケーションは、例えば、ディスプレイ２Ａに画面を表示させ、タッチスクリーン２Ｂを介して検出されるジェスチャに応じた処理をコントローラ１０に実行させる。制御プログラムは、例えば、ＯＳである。アプリケーション及び制御プログラムは、通信ユニット６による無線通信又は非一過的な記憶媒体を介してストレージ９にインストールされてもよい。
【００３６】
ストレージ９は、例えば、制御プログラム９Ａ、加速度データ９Ｗ、指紋データ９Ｘ、及び設定データ９Ｚを記憶する。加速度データ９Ｗは、スマートフォン１に作用する加速度に関する情報を含む。指紋データ９Ｘは、スマートフォン１を所有する利用者が登録した指紋に関する情報を含む。設定データ９Ｚは、スマートフォン１の動作に関する各種の設定に関する情報を含む。
【００３７】
制御プログラム９Ａは、スマートフォン１を稼働させるための各種制御に関する機能を提供する。制御プログラム９Ａは、例えば、通信ユニット６、レシーバ７、及びマイク８等を制御することによって、通話を実現させる。制御プログラム９Ａが提供する機能には、タッチスクリーン２Ｂを介して検出されたジェスチャに応じて、ディスプレイ２Ａに表示されている情報を変更する等の各種制御を行う機能が含まれる。制御プログラム９Ａが提供する機能は、他のプログラムが提供する機能と組み合わせて利用されることがある。
【００３８】
制御プログラム９Ａは、タッチスクリーンディスプレイ２、ボタン３等に対する操作の受け付けを制限する機能を提供する。制御プログラム９Ａは、ロック画面をディスプレイ２Ａに表示し、制限を解除する操作のみを受け付ける制御をすることによって、制限する機能を実現させる。ロック画面については、後述する。制御プログラム９Ａは、例えば、スマートフォン１の電源がオフされた場合、スマートフォン１が予め設定された時間にわたって操作されない場合等に、制限を開始させる。
【００３９】
制御プログラム９Ａは、利用者の認証を行う認証機能を提供する。認証機能は、例えば、利用者の指紋による認証、暗証番号の入力による認証等を含む。指紋による認証は、指紋センサ１８が読み取った指紋情報と予め登録された指紋情報とが所定の範囲で適合する場合に、利用者が登録された本人であると認証する。所定の範囲で適合するとは、例えば、読み取った指紋画像と、予め登録された親指の指紋画像との画像処理によって一致性を評価し、所定の評価以上であれば、適合すると判定することを意味している。画像処理は、例えば、指紋の特徴点を抽出して比較する処理を含む。暗証番号の入力による認証は、入力された暗証番号が予め登録された暗証番号と一致する場合に、利用者が登録された本人であると認証する。
【００４０】
制御プログラム９Ａは、利用を制限した状態で、指紋センサ１８が指紋情報を出力すると、当該指紋情報に基づいて利用者の認証を行う機能を提供する。例えば、制御プログラム９Ａは、指紋センサ１８によって読み取った指紋情報が予め登録された指紋情報と所定の範囲で適合する場合、登録された利用者であると判定し、制限を解除する制御をすることによって、認証機能を実現させる。制限が解除されると、利用者は、タッチスクリーンディスプレイ２、ボタン３等に対する操作が可能な状態となることにより、スマートフォン１の機能が利用可能となる。
【００４１】
加速度データ９Ｗには、加速度センサ１５の検出結果として送信されてくる複数の加速度情報が時系列的に記憶される。加速度情報は、時間と、加速度の値といった項目を含む。時間は、加速度センサ１５によって加速度を検出した時間を示す。加速度の値は、加速度センサ１５によって検出した加速度の値を示す。
【００４２】
指紋データ９Ｘは、利用者によって予め登録された指紋の画像を示す指紋情報を含む。複数の指の指紋が登録されている場合、指紋データ９Ｘは、複数の指ごとの指紋情報を含む。例えば、親指及び人差し指の指紋が登録されている場合、指紋データ９Ｘは、親指及び人差し指に対応した２つの指紋情報を含む。指紋データ９Ｘは、指紋情報と指及び手の種類を示す情報とが紐付けられている。例えば、右手の親指の指紋が登録されている場合、指紋データ９Ｘの指紋情報は、右手及び親指を示す情報が紐付けられる。
【００４３】
コントローラ１０は、演算処理装置である。演算処理装置は、例えば、ＣＰＵ（Ｃｅｎｔｒａｌ  Ｐｒｏｃｅｓｓｉｎｇ  Ｕｎｉｔ）、ＳｏＣ（Ｓｙｓｔｅｍ−ｏｎ−ａ−ｃｈｉｐ）、ＭＣＵ（Ｍｉｃｒｏ  Ｃｏｎｔｒｏｌ  Ｕｎｉｔ）、ＦＰＧＡ（Ｆｉｅｌｄ−Ｐｒｏｇｒａｍｍａｂｌｅ  Ｇａｔｅ  Ａｒｒａｙ）、及びコプロセッサを含むが、これらに限定されない。コントローラ１０は、複数の演算処理装置を含んでもよい。コントローラ１０は、スマートフォン１の動作を統括的に制御して各種の機能を実現する。
【００４４】
具体的には、コントローラ１０は、ストレージ９に記憶されているデータを必要に応じて参照しつつ、ストレージ９に記憶されているプログラムに含まれる命令を実行する。そして、コントローラ１０は、データ及び命令に応じて機能部を制御し、それによって各種機能を実現する。機能部は、例えば、ディスプレイ２Ａ、通信ユニット６、レシーバ７、及びスピーカ１１を含むが、これらに限定されない。コントローラ１０は、検出部の検出結果に応じて、制御を変更することがある。検出部は、例えば、タッチスクリーン２Ｂ、ボタン３、照度センサ４、近接センサ５、マイク８、カメラ１２、カメラ１３、加速度センサ１５、方位センサ１６、ジャイロスコープ１７、及び指紋センサ１８を含むが、これらに限定されない。
【００４５】
コントローラ１０は、例えば、制御プログラム９Ａを実行することにより、タッチスクリーン２Ｂを介して検出されたジェスチャに応じて、ディスプレイ２Ａに表示されている情報を変更する等の各種制御を実行する。
【００４６】
カメラ１２は、フロントフェイス１Ａに面している物体を撮影するインカメラである。カメラ１３は、バックフェイス１Ｂに面している物体を撮影するアウトカメラである。
【００４７】
コネクタ１４は、他の装置が接続される端子である。コネクタ１４は、ＵＳＢ（Ｕｎｉｖｅｒｓａｌ  Ｓｅｒｉａｌ  Ｂｕｓ）、ＨＤＭＩ（登録商標）（Ｈｉｇｈ−Ｄｅｆｉｎｉｔｉｏｎ  Ｍｕｌｔｉｍｅｄｉａ  Ｉｎｔｅｒｆａｃｅ）、ライトピーク（サンダーボルト（登録商標））、イヤホンマイクコネクタのような汎用的な端子であってもよい。コネクタ１４は、Ｄｏｃｋコネクタのような専用の端子でもよい。コネクタ１４に接続される装置は、例えば、外部ストレージ、スピーカ、及び通信装置を含むが、これらに限定されない。
【００４８】
加速度センサ１５は、スマートフォン１に作用する加速度の方向及び大きさ、スマートフォン１の傾きの角度、重力加速度の大きさ及び方向を検出する。方位センサ１６は、地磁気の向きを検出する。ジャイロスコープ１７は、スマートフォン１の角度及び角速度を検出する。加速度センサ１５、方位センサ１６、及びジャイロスコープ１７の検出結果は、スマートフォン１の位置、姿勢、及び状態の変化を検出するために、組み合わせて利用される。
【００４９】
図５においてストレージ９が記憶するプログラム及びデータの一部又は全部は、通信ユニット６による無線通信で他の装置からダウンロードされてもよい。図５においてストレージ９が記憶するプログラム及びデータの一部又は全部は、ストレージ９に含まれる読み取り装置が読み取り可能な非一過的な記憶媒体に記憶されていてもよい。図５においてストレージ９が記憶するプログラム及びデータの一部又は全部は、コネクタ１４に接続される読み取り装置が読み取り可能な非一過的な記憶媒体に記憶されていてもよい。非一過的な記憶媒体は、例えば、ＣＤ（登録商標）、ＤＶＤ（登録商標）、Ｂｌｕ−ｒａｙ（登録商標）等の光ディスク、光磁気ディスク、磁気記憶媒体、メモリカード、及びソリッドステート記憶媒体を含むが、これらに限定されない。
【００５０】
図５に示したスマートフォン１の構成は例であり、本発明の要旨を損なわない範囲において適宜変更してよい。例えば、ボタン３の数と種類は図５の例に限定されない。スマートフォン１は、画面に関する操作のためのボタンとして、ボタン３Ａ〜３Ｃに代えて、テンキー配列又はＱＷＥＲＴＹ配列等のボタンを備えていてもよい。スマートフォン１は、画面に関する操作のために、ボタンを１つだけ備えてもよいし、ボタンを備えなくてもよい。図５に示した例では、スマートフォン１が２つのカメラを備えるが、スマートフォン１は、１つのカメラのみを備えてもよいし、カメラを備えなくてもよい。図５に示した例では、スマートフォン１が位置及び姿勢を検出するために４種類のセンサを備えるが、スマートフォン１は、このうちいくつかのセンサを備えなくてもよい。あるいは、スマートフォン１は、位置及び姿勢の少なくとも１つを検出するための他の種類のセンサを備えてもよい。
【００５１】
図６を参照しながら、スマートフォン１による制限の解除に係る制御について説明する。図６は、スマートフォン１による制限の解除に係る制御の例を示す図である。以下の説明においては、同様の構成要素には同一の符号を付し、重複する説明は省略することがある。
【００５２】
図６に示すステップＳ１１では、予め登録された利用者は、右手Ｈ１（片手）でスマートフォン１を持っている。タッチスクリーンディスプレイ２のサイズは、利用者が片手の親指Ｆ１のみでは操作しづらいサイズとなっている。スマートフォン１は、ステップＳ１１として、ロック画面６０をタッチスクリーンディスプレイ２（ディスプレイ２Ａ）に表示するとともに、利用者による操作の受け付けを制限している。ロック画面６０は、例えば、タッチスクリーンディスプレイ２、ボタン３等に対する操作が制限されていることを示す画面である。なお、操作を制限する制御は、コントローラ１０がタッチスクリーンディスプレイ２の操作を受けつけないようにしてもよいし、コントローラ１０がタッチスクリーンディスプレイ２の操作を受けても無視するようにしてもよい。タッチスクリーンディスプレイ２、ボタン３において一部の操作を制限しないようにしてもよい。図６に示す例では、ロック画面６０は、時計及び鍵を示す情報を表示する場合について説明するが、これに限定されない。
【００５３】
ステップＳ１２では、利用者は、スマートフォン１の制限を解除するために、指紋センサ１８を内蔵しているボタン３Ｂに親指Ｆ１を接触させている。一般に、スマートフォン１の制限を解除する操作を親指Ｆ１と異なる指で行った場合、スマートフォン１の制限が解除された後、利用者がスマートフォン１をどのように操作するかは多種多様である。これに対し、図６に示したように、利用者が右手Ｈ１のみでスマートフォン１を持ってタッチスクリーンディスプレイ２を見ながら操作しようとした場合、親指Ｆ１はフロントフェイス１Ａ側に位置し、親指Ｆ１以外の指はバックフェイス１Ｂ側に位置する。この場合、利用者は、フロントフェイス１Ａ側に位置する指紋センサ１８を用いてスマートフォン１の制限を解除する操作を右手Ｈ１の親指Ｆ１によって行う可能性が高い。片手（右手Ｈ１）で制限を解除する操作を行った場合、利用者は、スマートフォン１の制限が解除された後も、片手（右手Ｈ１）で持って、親指Ｆ１で操作する可能性がある。このため、制限を解除する操作が親指Ｆ１で行われたか否かで利用者のスマートフォン１の利用方法を推定できる。そこで、スマートフォン１は、制限を解除する操作が親指Ｆ１で行われたかを判定する。
【００５４】
スマートフォン１は、ステップＳ１２として、指紋センサ１８によって利用者の指紋情報を読み取ると、読み取った指紋情報の指紋認証を行う。具体的には、スマートフォン１は、読み取った指紋情報と指紋データ９Ｘに登録された親指の指紋情報とが所定の範囲で適合しているかを判別する。スマートフォン１は、読み取った指紋情報と登録された親指の指紋情報とが所定の範囲で適合した場合、制限を解除する操作が親指Ｆ１による操作であると判定する。
【００５５】
親指Ｆ１による操作であると判定すると、スマートフォン１は、ステップＳ１３として、制限を解除して、片手用の画面７０をディスプレイ２Ａに表示する。具体的には、スマートフォン１は、ディスプレイ２Ａの表示方向の上下を、ジャイロスコープ１７の検出結果に基づいて特定する。ディスプレイ２Ａの表示方向の上下がディスプレイ２Ａの長手方向である場合、指紋センサ１８は、ディスプレイ２Ａの下側のフロントフェイス１Ａに配置されている。利用者が右手Ｈ１の親指Ｆ１で制限の解除を操作した場合、右手Ｈ１の親指Ｆ１は、タッチスクリーンディスプレイ２の下側に配置されている可能性が高い。このため、右手Ｈ１の親指Ｆ１の動作可能範囲は、ディスプレイ２Ａの下側の部分となる可能性が高い。スマートフォン１は、ディスプレイ２Ａの表示方向の上下を特定することにより、親指Ｆ１の位置及び操作可能範囲を推測することができる。
【００５６】
片手用の画面７０は、スマートフォン１を持っている片手の親指Ｆ１のみでの操作が可能な画面である。片手用の画面７０は、ホーム画面４０の一部を表示し、ホーム画面４０とは異なる画面である。図６に示す例では、片手用の画面７０は、ディスプレイ２Ａの表示方向（長手方向）における下方向に、ホーム画面４０のアイコン５０をスライドした画面である。具体的には、片手用の画面７０は、ホーム画面４０の上側の２行２列に配置されたアイコン５０を、ディスプレイ２Ａにおける親指Ｆ１の操作可能な範囲に配置した画面である。片手用の画面７０は、ディスプレイ２Ａにおける親指Ｆ１の操作可能な範囲において、ディスプレイ２Ａの表示方向の上下または左右にスクロール可能に構成されている。
【００５７】
本実施形態では、片手用の画面７０は、ホーム画面４０をスライドさせた画面である場合について説明するが、これに限定されない。例えば、片手用の画面７０は、ホーム画面４０のアイコン５０のうち、所定の条件で定められた一部のアイコン５０をタッチスクリーンディスプレイ２の下側に配置した領域に集約して表示する画面を含む。なお、所定の条件は、例えば、制限の解除を操作された時点での実行頻度が高いアプリケーションに対応するアイコン又は実行日時が新しいアプリケーションに対応するアイコン等の制限の解除を操作された時点で更新されるような条件であってもよいし、特定のアイコンを定めたもので制限の解除を操作された時点で予め定められている条件であってもよい。さらに、片手用の画面７０は、ホーム画面４０の縮小画面をタッチスクリーンディスプレイ２の下側に配置した画面を含む。
【００５８】
本実施形態では、スマートフォン１は、片手用の画面７０をディスプレイ２Ａの下側の領域に表示し、ディスプレイ２Ａの上側の領域には、何も表示しない場合について説明するが、これに限定されない。スマートフォン１は、例えば、日時を表示する画面、情報を通知する画面等を、ディスプレイ２Ａの上側の領域に表示させてもよい。
【００５９】
ステップＳ１３では、利用者は、親指Ｆ１で片手用の画面７０のアイコン５０をタッチしている。スマートフォン１は、タッチスクリーン２Ｂを介してアイコン５０に対するタッチのジェスチャを検出すると、当該アイコン５０に対応したアプリケーションを実行する。
【００６０】
このように、スマートフォン１は、利用者の親指Ｆ１によって制限を解除する操作を検出すると、利用者が片手で操作する場面を予測して、片手用の画面７０をタッチスクリーンディスプレイ２に表示する。これにより、スマートフォン１は、利用者が制限を解除する操作を行った後に、片手用のユーザーインターフェースに切り換えるという一連の操作を不要とすることができる。その結果、スマートフォン１は、片手での操作を行う場合の利用者の利便性を向上させることができる。
【００６１】
スマートフォン１は、ホーム画面４０を下方向にスライドした片手用の画面７０を表示することにより、片手用の画面７０としてホーム画面４０を流用することができる。その結果、スマートフォン１は、１つのホーム画面の表示態様を、制限を解除する操作を行った指の種類に応じて切り換えるだけでよくなり、制御の簡単化を図ることができる。
【００６２】
図７を参照しながら、スマートフォン１による制限解除に係る他の制御について説明する。図７は、スマートフォン１による制限解除に係る制御の他の例を示す図である。
【００６３】
図７に示すステップＳ２１では、利用者は、スマートフォン１を机、テーブル等に置いている、または、左手で持っている。スマートフォン１は、ステップＳ２１として、ロック画面６０をタッチスクリーンディスプレイ２（ディスプレイ２Ａ）に表示するとともに、利用者の操作を制限している。
【００６４】
一般的に、スマートフォン１を机、テーブル等に置いている場合、スマートフォン１を操作する手とは異なる手に持っている場合等では、利用者は、親指とは異なる指で制限の解除を操作する可能性が高い。このため、スマートフォン１は、親指とは異なる指で制限を解除する操作が行われたかを判定する。ステップＳ２２では、利用者は、スマートフォン１の制限を解除するために、指紋センサ１８を内蔵しているボタン３Ｂに、右手Ｈ１の人差し指Ｆ２を接触させている。
【００６５】
スマートフォン１は、ステップＳ２２として、指紋センサ１８によって利用者の指紋情報を読み取ると、読み取った指紋情報の指紋認証を行う。具体的には、スマートフォン１は、読み取った指紋情報と指紋データ９Ｘに登録された親指の指紋情報とが所定の範囲で適合しているかを判別する。読み取った指紋情報が所定の範囲で適合していない場合、スマートフォン１は、読み取った指紋情報と登録された他の指の指紋情報とが所定の範囲で適合しているかを判定する。読み取った指紋情報が他の指の指紋情報と所定の範囲で適合している場合、スマートフォン１は、制限を解除する操作が親指とは異なる他の指による操作であると判定する。
【００６６】
他の指による操作であると判定すると、スマートフォン１は、ステップＳ２３として、制限を解除して、ホーム画面４０をディスプレイ２Ａに表示する。例えば、スマートフォン１は、タッチスクリーン２Ｂを介してアイコン５０に対するタッチのジェスチャを検出すると、当該アイコン５０に対応したアプリケーションを実行する。
【００６７】
このように、スマートフォン１は、利用者の親指とは異なる指によって制限を解除する操作が行われると、片手用の画面７０ではなく、ホーム画面４０をタッチスクリーンディスプレイ２に表示する。これにより、スマートフォン１は、制限を解除する操作の指の種類に応じて、ユーザーインターフェースを自動的に切り換えることができる。その結果、スマートフォン１は、制限を解除する場合に、ユーザーインターフェースの切り換えに係る利用者の利便性を向上させることができる。
【００６８】
図８を参照しながら、スマートフォン１に関する制御の処理手順について説明する。図８は、スマートフォン１による制御の例の処理手順を示すフローチャートである。図８に示す処理手順は、コントローラ１０が制御プログラム９Ａを実行することによって実現される。図８に示す処理手順は、スマートフォン１の操作を制限する場合に実行される。
【００６９】
図８に示すように、スマートフォン１のコントローラ１０は、ステップＳ１０１として、ロック画面６０をディスプレイ２Ａに表示させる。コントローラ１０は、ステップＳ１０２として、指紋センサ１８によって指紋情報を読み取ったかを判定する。指紋センサ１８による指紋情報の読み取りが成功している場合、コントローラ１０は、指紋情報を読み取ったと判定する。指紋情報を読み取っていない場合（ステップＳ１０３，Ｎｏ）、コントローラ１０は、ステップＳ１０２以降の処理を再実行する。
【００７０】
指紋情報を読み取った場合（ステップＳ１０３，Ｙｅｓ）、コントローラ１０は、ステップＳ１０４に進む。コントローラ１０は、ステップＳ１０４として、読み取った指紋情報が予め登録された親指の指紋情報と適合するかを判定する。具体的には、コントローラ１０は、読み取った指紋情報と、指紋データ９Ｘに登録された親指の指紋情報との特徴点を比較し、特徴点が所定の範囲で一致している場合に、親指の指紋情報と適合すると判定する。
【００７１】
読み取った指紋情報が親指の指紋情報と適合する場合（ステップＳ１０５，Ｙｅｓ）、コントローラ１０は、ステップＳ１０６に進む。コントローラ１０は、ステップＳ１０６として、ディスプレイ２Ａの表示方向の上下を特定する。具体的には、ジャイロスコープ１７による検出結果に基づいて、ディスプレイ２Ａの長手方向が重力方向である場合、コントローラ１０は、ディスプレイ２Ａの長手方向における指紋センサ１８寄りを下側であると特定する。コントローラ１０は、ステップＳ１０７として、片手用の画面７０をディスプレイ２Ａに表示させる。その後、コントローラ１０は、図８に示す処理手順を終了する。
【００７２】
読み取った指紋情報が親指の指紋情報と適合しない場合（ステップＳ１０５，Ｎｏ）、コントローラ１０は、ステップＳ１０８に進む。コントローラ１０は、ステップＳ１０８として、読み取った指紋情報が予め登録された他の指の指紋情報と適合するかを判定する。具体的には、コントローラ１０は、読み取った指紋情報と、指紋データ９Ｘに登録された他の指の指紋情報との特徴点を比較し、特徴点が所定の範囲で一致している場合に、他の指の指紋情報と適合すると判定する。特徴点が所定の範囲で一致していない場合に、コントローラ１０は、他の指の指紋情報とも適合しないと判定する。
【００７３】
読み取った指紋情報が他の指の指紋情報と適合する場合（ステップＳ１０９，Ｙｅｓ）、コントローラ１０は、ステップＳ１１０に進む。コントローラ１０は、ステップＳ１１０として、ホーム画面４０をディスプレイ２Ａに表示させる。その後、コントローラ１０は、図８に示す処理手順を終了する。
【００７４】
読み取った指紋情報が他の指の指紋情報と適合しない場合（ステップＳ１０９，Ｎｏ）、読み取った指紋情報が指紋データ９Ｘに登録された指紋情報ではないことにより、コントローラ１０は、ステップＳ１０２以降の処理を再実行する。
【００７５】
上記の図８に示す処理手順では、コントローラ１０は、他の指の指紋情報と適合しない場合に、ステップＳ１０２に戻る場合について説明したが、これに限定されない。例えば、図８に示す処理手順は、認証が不成立であることを示す情報をディスプレイ２Ａに表示した後に、ステップＳ１０２に戻るように構成されてもよい。
【００７６】
上記の図８に示す処理手順では、コントローラ１０は、ディスプレイ２Ａの表示方向の上下を特定する場合について説明したが、これに限定されない。例えば、図８に示す処理手順は、ディスプレイ２Ａの表示方向の上下を特定せずに、片手用の画面７０をディスプレイ２Ａの下側に表示させるように構成されてもよい。
【００７７】
本出願の開示する実施形態は、発明の要旨及び範囲を逸脱しない範囲で変更することができる。さらに、本出願の開示する実施形態及びその変形例は、適宜組み合わせることができる。例えば、上記の実施形態は、以下のように変形してもよい。
【００７８】
例えば、図５に示した各プログラムは、複数のモジュールに分割されていてもよいし、他のプログラムと結合されていてもよい。
【００７９】
（変形例）
以下に、実施形態に係るスマートフォン１の変形例について説明する。変形例に係るスマートフォン１は、制御プログラム９Ａの機能が異なる点を除いて、図５に示したスマートフォン１と同様の構成を有する。そこで、以下では、スマートフォン１を例として用いて、変形例について説明する。
【００８０】
制御プログラム９Ａは、加速度センサ１５の検出結果に基づいて、スマートフォン１の状態を判別する機能を提供する。スマートフォン１の状態は、例えば、歩行状態、走行状態、保持状態等を含む。歩行状態は、自機を携帯している利用者が歩行している状態である。走行状態は、自機を携帯している利用者が走行している状態である。保持状態は、利用者が手で自機を持っている状態である。
【００８１】
スマートフォン１は、加速度センサ１５を用いることにより、利用者がスマートフォン１を手で持っている状態の振動の周波数及び振幅等のパターンを取得することができる。コントローラ１０は、制御プログラム９Ａを実行することで、加速度センサ１５によって検出された振動の周波数及び振幅等を分析して、スマートフォン１の状態を判別する制御を行う。例えば、スマートフォン１の状態を判別するにあたり、コントローラ１０は、各種状態に対応した加速度パターンのデータを用いる。加速度パターンは、例えば、判別データとしてストレージ９に予め記憶されている。コントローラ１０は、加速度センサ１５から取得した検出結果を示す加速度データ９Ｗと、加速度パターンとを照らし合わせて、一致した加速度パターンに対応付けられた状態を、スマートフォン１の状態として判別する。なお、パターンの一致とは、完全に一致している場合、所定の割合で一致している場合を含む。コントローラ１０は、判別した自機の状態をストレージ９に記憶する。
【００８２】
以下では、スマートフォン１は、加速度センサ１５をモーションセンサとして用いる場合について説明するが、これに限定されない。スマートフォン１は、例えば、ジャイロスコープ１７、方位センサ１６、近接センサ５、気圧センサ、赤外線モーションセンサ等をモーションセンサとしても用いてもよいし、各種センサを組み合わせて用いてもよい。
【００８３】
スマートフォン１は、モーションセンサの検出結果に基づいて、利用者が自機を手で持っている状態であるかを判定する。スマートフォン１は、利用者が自機を手で持っている状態である場合、かつ制限を解除する操作が親指による操作である場合に、ホーム画面４０とは異なる片手用の画面７０をディスプレイ２Ａに表示する。
【００８４】
スマートフォン１は、利用者が自機を手で持っている状態ではない場合、かつ制限を解除する操作が親指による操作である場合に、ホーム画面４０をディスプレイ２Ａに表示する。
【００８５】
このように、スマートフォン１は、利用者が自機を手で持っている場合に、制限を解除する操作が親指によるものかを判定することで、親指による操作の判定精度を向上させることができる。その結果、スマートフォン１は、制限を解除する場合に、利用者の状態に適したユーザーインターフェースに自動で切り換える精度を向上させることができる。
【００８６】
図９を参照しながら、スマートフォン１に関する制御の他の処理手順について説明する。図９は、スマートフォン１による制御の他の例の処理手順を示すフローチャートである。図９に示す処理手順は、コントローラ１０が制御プログラム９Ａを実行することによって実現される。図９に示す処理手順は、スマートフォン１の操作を制限する場合に実行される。
【００８７】
図９に示す例では、ステップＳ１０１からステップＳ１１０の処理は、図８に示すステップＳ１０１からステップＳ１１０の処理と同一であるため、異なる部分のみを説明し、同一部分の説明は省略する。
【００８８】
図９に示すように、コントローラ１０は、既に説明したステップＳ１０１からステップＳ１０４の処理を実行する。読み取った指紋情報が親指の指紋情報と適合する場合（ステップＳ１０５，Ｙｅｓ）、コントローラ１０は、ステップＳ１２１に進む。コントローラ１０は、ステップＳ１２１として、モーションセンサの検出結果に基づいて、利用者が手で自機を持っている保持状態であるかを判定する。
【００８９】
保持状態である場合（ステップＳ１２２，Ｙｅｓ）、コントローラ１０は、既に説明したステップＳ１０６及びステップＳ１０７の処理を実行する。その後、コントローラ１０は、図９に示す処理手順を終了する。
【００９０】
保持状態ではない場合（ステップＳ１２２，Ｎｏ）、コントローラ１０は、既に説明したステップＳ１１０の処理を実行する。その後、コントローラ１０は、図９に示す処理手順を終了する。
【００９１】
上記の図９に示す処理手順は、読み取った指紋情報が親指の指紋情報と適合する場合に、自機が保持状態であるかを判定する場合について説明したが、これに限定されない。例えば、処理手順は、自機が保持状態であると判定した後に、読み取った指紋情報が親指の指紋情報と適合するかを判定するように構成されてもよい。
【００９２】
上記の実施形態では、スマートフォン１は、指紋データ９Ｘに親指と他の指の指紋情報を予め登録することを前提とした場合について説明したが、これに限定されない。例えば、スマートフォン１は、親指の指紋情報のみを指紋データ９Ｘに予め登録するようにしてもよい。一般に、片手で認証を行う場合、親指は、その先端がディスプレイ２Ａの幅方向に向かった状態で指紋を読み取られる可能性が高い。両手で認証を行う場合、親指は、その先端がディスプレイ２Ａの長手方向に向かった状態で指紋を読み取られる可能性が高い。このような場合、スマートフォン１は、読み取った指紋情報に基づいて親指の向きを特定し、親指の向きに応じてユーザーインターフェースを切り換える制御を行うように構成すればよい。
【００９３】
上記の実施形態では、スマートフォン１は、ディスプレイ２Ａの下側に、短手方向へのスクロールが可能な領域を設け、当該領域内にホーム画面４０のアイコン５０を整列させて表示するように構成されてもよい。
【００９４】
上記の実施形態では、スマートフォン１は、第１画面としてホーム画面４０を表示する場合について説明したが、これに限定されない。例えば、スマートフォン１は、ホーム画面４０とは異なり、制限を開始する際に表示していた画面を第１画面とするように構成されてもよい。この場合、スマートフォン１は、予め定められた片手用の画面を第２画面とすればよい。
【００９５】
上記の実施形態では、スマートフォン１は、利用者の指紋に基づいて、制限を解除する操作が親指によるものかを判定する場合について説明したが、これに限定されない。例えば、暗証番号の入力による認証を行う場合、スマートフォン１は、暗証番号を入力する指先の接触面積等に基づいて、親指による操作かを判定するように構成される。
【００９６】
上記の実施形態では、電子機器の例として、スマートフォンについて説明したが、添付の請求項に係る電子機器は、スマートフォンに限定されない。添付の請求項に係る電子機器は、スマートフォン以外の電子機器であってもよい。電子機器は、例えば、モバイルフォン、タブレット、携帯型パソコン、デジタルカメラ、メディアプレイヤ、電子書籍リーダ、ナビゲータ、及びゲーム機を含むが、これに限定されない。
【００９７】
添付の請求項に係る技術を完全かつ明瞭に開示するために特徴的な実施形態に関し記載してきた。しかし、添付の請求項は、上記実施形態に限定されるべきものでなく、本明細書に示した基礎的事項の範囲内で当該技術分野の当業者が創作しうるすべての変形例及び代替可能な構成を具現化するように構成されるべきである。
【符号の説明】
【００９８】
１  スマートフォン
２  タッチスクリーンディスプレイ
２Ａ  ディスプレイ
２Ｂ  タッチスクリーン
３  ボタン
４  照度センサ
５  近接センサ
６  通信ユニット
７  レシーバ
８  マイク
９  ストレージ
９Ａ  制御プログラム
９Ｗ  加速度データ
９Ｘ  指紋データ
９Ｚ  設定データ
１０  コントローラ
１１  スピーカ
１２、１３  カメラ
１４  コネクタ
１５  加速度センサ
１６  方位センサ
１７  ジャイロスコープ
１８  指紋センサ
【図１】
0006483452.tif 000002
【図２】
0006483452.tif 000003
【図３】
0006483452.tif 000004
【図４】
0006483452.tif 000005
【図５】
0006483452.tif 000006
【図６】
0006483452.tif 000007
【図７】
0006483452.tif 000008
【図８】
0006483452.tif 000009
【図９】
0006483452.tif 000010